(57)【特許請求の範囲】
【請求項１】
空調装置のケースに設けた相対峙する一対のチャンネル状のガイドレールにドア本体の相対峙する一対の側縁部をスライド可能に摺接係合した空調装置のスライドドア装置において、ドア本体がガイドレールの一方側に１点接触し他方側に２点接触する複数の駒をスライド方向に連設した屈曲可能な形態に形成されたことを特徴とする空調装置のスライドドア装置。
【請求項２】
複数の駒がスライド方向と直交する方向での側面視略三角形を有することを特徴とする請求項１記載の空調装置のスライドドア装置。
【請求項３】
複数の駒のうちで隣接する駒どうしを２点接触側で互いに合成樹脂の薄肉ヒンジにより連結したことを特徴とする請求項１又は請求項２記載の空調装置のスライドドア装置。
【請求項４】
複数の駒の２点接触側を弾性作用で当該駒とガイドレールとのがたつきを吸収する脚部として形成したことを特徴とする請求項１〜請求項３の何れかに記載の空調装置のスライドドア装置。
【請求項５】
複数の駒の２点接触側にガイドレールの直線部及び曲がり部の双方で非接触となる凹部を形成したことを特徴とする請求項１〜請求項４の何れかに記載の空調装置のスライドドア装置。
【請求項６】
複数の駒をケースと同じ材料により形成したことを特徴とする請求項１〜５の何れかに記載の空調装置のスライドドア装置。
【発明の詳細な説明】
【０００１】
【発明の属する技術分野】
この発明は、風道を作るケースに設けた相対峙する一対のチャンネル状のガイドレールにドア本体の相対峙する一対の側縁部をスライド可能に摺接係合した空調装置のスライドドア装置に関する。
【０００２】
【従来の技術】
例えば、実開平２−１５５０８号公報には、空調装置の内外気導入形態を変えるインテークドア、エバポレータ通過風がヒータコアを通過するか迂回するかの割合を変えるエアミックスドア、空調風の吹出形態を変えるモードドア等のドア本体の相対峙する一対の側縁部を、風道を作るケースに設けた相対峙する一対のチャンネル状のガイドレールにスライド可能に摺接係合した空調装置のスライドドア装置が開示されている。
【０００３】
【発明が解決しようとする課題】
しかし、前記スライドドア装置では、ドア本体を剛性を有する板状に形成してあるので、ガイドレールに直線部と弧状の曲がり部とを形成し、この直線部と曲がり部とに沿ってドア本体をスライド方向に平坦状や屈曲状に姿勢変換させることができず、ケースに対する設置に規制を受けることがある。
【０００４】
そこで、この発明は、ガイドレールの直線部と曲がり部とに沿ってドア本体をスライド方向に平坦状や屈曲状に姿勢変換可能として、ケースに対する設置の自由度を向上することができる空調装置のスライドドア装置を提供しようとするものである。
【０００５】
【課題を解決するための手段】
請求項１の空調装置のスライドドア装置にあっては、空調装置のケースに設けた相対峙する一対のチャンネル状のガイドレールにドア本体の相対峙する一対の側縁部をスライド可能に摺接係合した空調装置のスライドドア装置において、ドア本体がガイドレールの一方側に１点接触し他方側に２点接触する複数の駒をスライド方向に連設した屈曲可能な形態に形成されたことを特徴としている。
この請求項１の構成によれば、複数の駒からなるドア本体がガイドレールの直線部と曲がり部とに沿ってスライド方向に平坦状や屈曲状に姿勢変換する。
請求項２の空調装置のスライドドア装置にあっては、請求項１に記載の複数の駒がスライド方向と直交する方向での側面視略三角形を有することを特徴としている。
この請求項２の構成によれば、ドア本体の耐風圧性（剛性）と軽量化とが両立する。
請求項３の空調装置のスライドドア装置にあっては、請求項１又は請求項２に記載の複数の駒のうちで隣接する駒どうしを２点接触側で互いに合成樹脂の薄肉ヒンジにより連結したことを特徴としている。
この請求項３の構成によれば、ドア本体の屈曲性と一体化とが両立する。
請求項４の空調装置のスライドドア装置にあっては、請求項１〜請求項３の何れかに記載の複数の駒の２点接触側を弾性作用で当該駒とガイドレールとのがたつきを吸収する脚部として形成したことを特徴としている。
この請求項４の構成によれば、駒の脚部が弾性作用でガイドレールに接触して、駒とガイドレールとのがたつきを吸収する。
請求項５の空調装置のスライドドア装置にあっては、請求項１〜請求項４の何れかに記載の複数の駒の２点接触側にガイドレールの直線部及び曲がり部の双方で非接触となる凹部を形成したことを特徴としている。
この請求項５の構成によれば、ガイドレールの直線部及び曲がり部の双方に対する駒の２点接触側の接触抵抗が一様に小さくなる。
請求項６の空調装置のスライドドア装置にあっては、請求項１〜５の何れかに記載の複数の駒をケースと同じ材料により形成したことを特徴としている。
この請求項６の構成によれば、ドア本体をケースと同じ材料により形成したので、使用済みとなった空調装置のリサイクルに際し、ドア本体とケースとを分別せずに処理することができる。
【０００６】
【発明の実施の形態】
図１〜図３は第１実施形態を示し、図１は空調装置のスライドドア装置のガイドレール１とドア本体２とを分解して斜めより見た外観を示し、図２はドア本体２の１つの駒３の側面を拡大して示し、図３はドア本体２をガイドレール１に組付けた側面を模式的に示す。尚、図１では、風道を作るケース４の右側の壁面だけを図示してある。
【０００７】
図１に示すように、スライドドア装置は、ケース４に設けた相対峙する一対のチャンネル状のガイドレール１に、ドア本体２の相対峙する一対の側縁部をスライド可能に摺接係合し、図外の駆動機構により、ドア本体２をガイドレール１に沿ってスライドするようになっている。ガイドレール１は、ケース４の通風方向Ｘと平行する方向に延びる直線部１ａと、これの一端に連なる弧状の曲がり部１ｂと、これの一端に連なり通風方向Ｘと交差する方向に延びる直線部１ｃとを有する。ドア本体２は、ガイドレール１の一方側に１点接触し他方側に２点接触する複数の駒３をスライド方向Ｙに連設した、ケース４と同じ材料として例えばポリプロピレンのような、図外のエバポレータから落下する凝縮水に対する耐冷水性の合成樹脂により、一体成形されたシャッタ（鎧戸）のように屈曲可能な形態に形成されている。
【０００８】
この第１実施形態の場合、複数の駒３が、スライド方向Ｙと直交する方向での側面視略三角形を呈する長尺な形態を有し、台形状の胴体部３ａと、その上面中央より上方に突出した１点接触側としての頭部３ｂと、胴体部３ａの下面両側より斜め下方に突出する２点接触側としての脚部３ｃ，３ｄとを備え、隣接する駒３どうしの脚部３ｃ，３ｄを互いに２点接触側で上記合成樹脂からなる薄肉ヒンジ３ｇにより連結している。又、ドア本体２とガイドレール１とを分解した状態において、複数の駒３の脚部３ｃ，３ｄから頭部３ｂまでの高さｈを、ガイドレール１のチャンネル（通路）の上下幅（ガイドレール１の相対峙するレール壁面１ｄ，１ｅ間の内のり）Ｈより大きな寸法に設定してある（ｈ＞Ｈ）。
【０００９】
図２にも示すように、複数の駒３の脚部３ｃ，３ｄは、適切な値に設定された厚さｔによる弾性を有し、胴体部３ａとの連接側を支点として外側に広がるように撓ませてガイドレール１のチャンネルに嵌め込むことにより、当該脚部３ｃ，３ｄの復元する弾性作用で頭部３ｂ及び双方の脚部３ｃ，３ｄがガイドレール１の相対峙するレール壁面１ｄ，１ｅに接触して、駒３とガイドレール１とのがたつきを吸収する。
【００１０】
図３にも示すように、複数の駒３の長手方向の一対の側縁部をガイドレール１に嵌め込むことで、ドア本体２の相対峙する一対の側縁部をスライド可能に摺接係合した状態において、複数の駒３の脚部３ｃ，３ｄの２点接触側に、ガイドレール１の直線部１ａ，１ｃ及び曲がり部１ｂの双方で非接触となる凹部３ｅ，３ｆを形成している。この第１実施形態では、凹部３ｅ，３ｆを、ガイドレール１の曲がり部１ｂの内側に位置するレール壁面１ｅの内のりの曲率半径Ｒより小さな曲率半径ｒに設定している（Ｒ＞ｒ）。
【００１１】
この第１実施形態の構造によれば、ガイドレール１の一方側としてのレール壁面１ｄに１点接触し他方側としてのレール壁面１ｅに２点接触する複数の駒３をスライド方向Ｙに連設して、ドア本体２をスライド方向Ｙに屈曲可能な形態に形成したので、ガイドレール１の直線部１ａ，１ｃと曲がり部１ｂとに沿ってドア本体２をスライド方向Ｙに平坦状や屈曲状に姿勢変換して、ケース４に対する設置の自由度を向上することができる。又、複数の駒３がスライド方向Ｙと直交する方向で側面視略三角形を有するので、ドア本体２の耐風圧性（剛性）と軽量化との両立を図ることができる。又、隣接する駒３どうしの脚部３ｃ，３ｄを互いに２点接触側で上記合成樹脂からなる薄肉ヒンジ３ｇにより連結したので、ドア本体２の屈曲性と一体化との両立を図ることができる。又、ドア本体２をガイドレール１に摺接係合した場合に、複数の駒３の脚部３ｃ，３ｄの復元する弾性作用で頭部３ｂ及び双方の脚部３ｃ，３ｄがガイドレール１の相対峙するレール壁面１ｄ，１ｅに接触して、ガイドレール１に対する駒３のがたつきを吸収し、ドア本体２を円滑にスライドすることができる。又、複数の駒３の脚部３ｃ，３ｄの２点接触側に、ガイドレール１の直線部１ａ，１ｃ及び曲がり部１ｂの双方で非接触となる凹部３ｅ，３ｆを形成したので、ガイドレール１の直線部１ａ，１ｃ及び曲線部１ｂの双方に対する脚部３ｃ，３ｄの２点接触側における接触抵抗が一様に小さくなり、ガイドレール１の曲がり部１ｂに対するドア本体２の追従性を向上することができる。更に、ドア本体２をケース４と同じ材料により形成したので、使用済みとなった空調装置のリサイクルにおいて、ドア本体２とケース４とを分別せずに処理することができる。
【００１２】
図４〜図５は第２実施形態のドア本体２を示し、図４は別々に成形した複数の駒５どうしをピンヒンジ６で互いにスライド方向Ｙに屈曲可能に連結した側面を示し、図５は別体の複数の駒５とピンヒンジ６との下面を示す。即ち、図４に示すように、複数の駒５は、台形状の胴体部５ａと、その上面中央より上方に突出した１点接触側としての頭部５ｂと、胴体部５ａの下面両側より斜め下方に突出する２点接触側としての脚部５ｃ，５ｄとを備えている。又、図５に示すように、一方の脚部５ｃの先端には、凹部５ｅと凸部５ｆとを、その長手方向に同一幅で交互に形成し、他方の脚部５ｄの先端には、凹部５ｇと凸部５ｈとを、その長手方向に上記凹部５ｅと凸部５ｆと同一な同一幅で交互に形成している。これらの凸部５ｆ，５ｈの突出寸法ｄの中心ｃより外側に偏った位置ｓには、貫通孔５ｉ，５ｊを形成している。又、凹部５ｅ，５ｇと凸部５ｆ，５ｈとは、１つの駒５における一方の脚部５ｃと他方の脚部５ｄとにおいて、長尺方向に互い違いに配置されている。ピンヒンジ６は、駒５と略同じか又はそれより少し短い長さを有すると共に、貫通孔５ｉ，５ｊと略同じか又はそれより少し小さな直径を有し、その一端部を貫通孔５ｉ，５ｊより少し大きな直径の固定部６ａとして形成している。そして、例えば、図５に示す左側に位置する１つの駒５の右側の脚部５ｄの凹部５ｇに、図５に示す右側に位置するもう１つの駒５の左側の脚部５ｃの凸部５ｆを挿入し、又、上記１つの駒５の右側の脚部５ｃの凸部５ｈを、上記もう１つの駒５の左側の脚部５ｃの凹部５ｅに挿入し、これらの脚部５ｃ，５ｄの貫通孔５ｉ，５ｊを同軸状に位置を合わせた後に、当該貫通孔５ｉ，５ｊにピンヒンジ６を他端より挿入し、ピンヒンジ６の固定部６ａを図５の左側に位置する駒５の右側の脚部５ｄの貫通孔５ｊに圧入することにより、ピンヒンジ６を抜け止めさせた形態で複数の駒５どうしを図４に示すように連結してある。尚、ピンヒンジ６の固定部６ａは、外周面に縦筋、斜め筋、横筋又は網目等の模様を描くようなナール又はダイヤカットと呼ばれるような凹凸を形成すれば、挿入容易性と抜け止め性とを両立させることができる。又、抜け止めには、接着剤を用いることも可能である。
【００１３】
【発明の効果】
請求項１の発明によれば、ドア本体をガイドレールの一方側に１点接触し他方側に２点接触する複数の駒がスライド方向に連設された形態に形成したので、ガイドレールの直線部と曲がり部とに沿ってドア本体をスライド方向に平坦状や屈曲状に姿勢変換して、ケースに対する設置の自由度を向上することができる。
請求項２の発明によれば、複数の駒がスライド方向と直交する方向で側面視略三角形を有するので、ドア本体の耐風圧性（剛性）と軽量化との両立を図ることができる。
請求項３の発明によれば、隣接する駒どうしの脚部を互いに２点接触側で上記合成樹脂からなる薄肉ヒンジにより連結したので、ドア本体の屈曲性と一体化との両立を図ることができる。
請求項４の発明によれば、ドア本体をガイドレールに摺接係合した場合に、複数の駒の脚部が弾性作用でガイドレールに接触したので、駒とガイドレールとのがたつきを吸収し、ドア本体を円滑にスライドすることができる。
請求項５の発明によれば、複数の駒の脚部の２点接触側にガイドレールの直線部及び曲がり部の双方で非接触となる凹部を形成したので、ガイドレールの直線部及び曲線部の双方に対する脚部の２点接触側の接触抵抗が一様に小さくなり、ガイドレールの曲がり部に対するドア本体の追従性を向上することができる。
請求項６の発明によれば、ドア本体をケースと同じ材料により形成したので、使用済みとなった空調装置のリサイクルにおいて、ドア本体とケースとを分別せずに処理することができる。
【図面の簡単な説明】
【図１】本発明の第１実施形態のドア本体とガイドレールとを分解した斜視図。
【図２】第１実施形態の駒の１つを示す側面図。
【図３】第１実施形態のドア本体をガイドレールに組付けた側面を示す模式図。
【図４】本発明の第２実施形態での駒を連結した側面図。
【図５】第２実施形態の駒とピンヒンジとを示す下面図。
【符号の説明】
１  ガイドレール
２  ドア本体
３，５  駒
３ａ，５ａ  胴体部
３ｂ，５ｂ  頭部
３ｃ，３ｄ，５ｃ，５ｄ  脚部
３ｇ  薄肉ヒンジ
４  ケース
６  ピンヒンジ
６ａ  固定部
【図１】
0003588688.tif 000002
【図２】
0003588688.tif 000003
【図３】
0003588688.tif 000004
【図４】
0003588688.tif 000005
【図５】
0003588688.tif 000006